【手続補正書】
【提出日】平成26年2月17日(2014.2.17)
【手続補正１】
【補正対象書類名】特許請求の範囲
【補正対象項目名】全文
【補正方法】変更
【補正の内容】
【特許請求の範囲】
【請求項１】
少なくとも１つの検査装置（１０２．１、１０２．２）と、
タスクデータオブジェクトを受信する（２５１）サーバインタフェースコンポーネント（１６４）を有するサーバコンピュータ（１０８）とを備えた生体試料を分析する分析システムであって、
タスクデータオブジェクトのそれぞれが、少なくとも１つの属性を含み、受信されたタスクデータオブジェクトの少なくともいくつかが、前記少なくとも１つの検査装置（１０２．１、１０２．２）によって行われるべき検査手順を示し、
前記サーバコンピュータ（１０８）が、処理コンポーネント（１６０）およびグラフィカル・ユーザ・インタフェース（１２２．１、１２２．２、１３０、２００）を備え、
前記処理コンポーネント（１６０）が、
前記受信されたタスクデータオブジェクトの少なくともいくつかを集計し、複数の集計タスクデータオブジェクトグループにし（２５２）、同一の前記集計タスクデータオブジェクトグループに属する全てのタスクデータオブジェクトが、少なくとも１つの属性の属性値または属性値範囲について共通し、少なくとも１つの共通の属性値または属性値範囲が、前記属性のタスクデータオブジェクトのタスクの、少なくとも１つの共通の工程を示し、前記共通の工程が、前記集計タスクデータオブジェクトグループの、タスクデータオブジェクトの全てのタスクに共通であり、
前記処理コンポーネント（１６０）が、前記集計タスクデータオブジェクトグループのそれぞれについて、選択可能な集計ＧＵＩエレメント（２１４〜２２０、１３０３、１５０１〜１５０４）を特定し（２５３）、前記集計ＧＵＩエレメントが前記集計タスクデータオブジェクトグループを表し、
前記処理コンポーネント（１６０）が、前記集計ＧＵＩエレメントを集計ビュー（２１０）で表示し（２５４）、
前記処理コンポーネント（１６０）が、ユーザにより、前記集計ＧＵＩエレメントの１つが選択されると、選択された集計ＧＵＩエレメントにより表される前記集計タスクデータオブジェクトグループを選択し（２５５）、選択された前記集計タスクデータオブジェクトグループの前記共通の工程を実行するプログラム命令へのユーザアクセスを自動的に与え、
前記グラフィカル・ユーザ・インタフェース（１２２．１、１２２．２、１３０、２００）が、前記集計ビュー（２１０）を提供するために、特定された前記集計ＧＵＩエレメントを表示する（２５４）
ことを特徴とする生体試料を分析する分析システム。
【請求項２】
前記受信されたタスクデータオブジェクトの少なくともいくつかに、装置ＩＤが割り当てられ、装置ＩＤのそれぞれが前記少なくとも１つの検査装置の１つを示し、
前記少なくとも１つの検査装置が、装置ＩＤにより、前記サーバコンピュータ（１０８）で前記検査装置（１０２．１、１０２．２）を識別する装置識別コンポーネント（１０３．１、１０３．２）を備え、
前記サーバコンピュータが、サービスインタフェースコンポーネント（１６４）を備え、前記サービスインタフェースコンポーネントが、前記サービスインタフェースコンポーネント（１６４）により、識別された前記検査装置に信号（１８２）を送るように動作可能であり、前記信号が、前記識別された検査装置の装置ＩＤを割り当てられた、受信されたタスクデータオブジェクトについて集計されたデータを含むことを特徴とする請求項１記載の分析システム。
【請求項３】
生体試料を処理するために用いられる分析システム（１００）により実行される方法であって、前記方法が、
Ａ）それぞれが少なくとも１つの属性を含むタスクデータオブジェクトを受信する受信工程（２５１）であって、受信されたタスクデータオブジェクトの少なくともいくつかは、少なくとも１つの検査装置（１０２．１、１０２．２）により行われるべき検査手順を示し、前記少なくとも１つの検査装置が前記分析システム（１００）に属する、受信工程（２５１）、
Ｂ）前記受信されたタスクデータオブジェクトの少なくともいくつかを集計し、複数の集計タスクデータオブジェクトグループにする集計工程（２５２）であって、同一の前記集計タスクデータオブジェクトグループに属する全てのタスクデータオブジェクトは、少なくとも１つの属性の属性値または属性値範囲について共通し、少なくとも１つの共通の属性値または属性値範囲が、前記属性のタスクデータオブジェクトのタスクの少なくとも１つの共通の工程を示し、前記共通の工程が、前記集計タスクデータオブジェクトグループの、タスクデータオブジェクトの全てのタスクに共通である、集計工程（２５２）、
Ｃ）前記タスクデータオブジェクトグループのそれぞれについて、選択可能な集計ＧＵＩエレメント（２１４〜２２０、１３０３、１５０１〜１５０４）を特定する特定工程（２５３）であって、前記集計ＧＵＩエレメントは、前記集計タスクデータオブジェクトグループを表す、特定工程（２５３）、
Ｄ）前記集計ＧＵＩエレメントを、グラフィカル・ユーザ・インタフェース（１２２．１、１２２．２、１３０、２００）上の集計ビュー（２１０）内に表示する表示工程（２５４）、および
Ｅ）ユーザにより、前記集計ＧＵＩエレメントの１つが選択されると、選択された前記集計ＧＵＩエレメントにより表される集計タスクデータオブジェクトグループを選択し（２５５）、選択された前記集計タスクデータオブジェクトグループの共通の工程を実行するプログラム命令へのユーザアクセスを自動的に与える工程（２５５）
を備えることを特徴とする方法。
【請求項４】
前記タスクデータオブジェクトを集計するために、少なくとも２つの階層レベルを含み、１つまたは２つ以上の第１ノード（９０１〜９１４、１００１〜１００８）を含む階層ドリルダウングラフが用いられ、第１ノードのそれぞれは、ノード属性を割り当てられ、前記方法がさらに、
受信されたタスクデータオブジェクトのそれぞれを、前記階層ドリルダウングラフの第２ノードとして表す工程を備え、前記集計工程Ｂ）が、
前記第１ノードのうちの１つを前記階層ドリルダウングラフの現在のノードとして決定する決定工程であって、前記現在のノードは、ドリルダウン分析を実行する起点であり、前記ドリルダウン分析は、前記現在のノードについておよび前記現在のノードの全ての直接的、間接的な後続ノードについて実行されるデータ集計操作であり、前記ノードに対して前記集計操作を実行するときに、前記現在のノードのノード属性が前記集計操作において工程Ｂ）に従って集計属性として用いられる、決定工程と、
前記現在のノードにより表される前記集計タスクデータオブジェクトグループについて、前記現在のノードの任意の後続ノードにより表される全てのタスクデータオブジェクトに亘って、データ集計関数を実行することにより、集計データ値を計算する計算工程と
を備える請求項３記載の方法。
【請求項５】
ドリルダウン分析のそれぞれについて、少なくとも前記集計データの値を、作業メモリに記憶されるドリルダウンヒストリに記憶する記憶工程と、
ユーザによりナビゲーションＧＵＩエレメント（５１０〜５１２）が選択され、それにより前記ユーザが新たな現在のノードを選択する工程とをさらに備え、前記新たな現在のノードが以前に実行されたドリルダウン分析と対応する請求項４記載の方法。
【請求項６】
タスクデータオブジェクトのそれぞれが、緊急度属性を割り当てられ、
集計タスクデータオブジェクトグループのそれぞれは、集計された緊急度の値を割り当てられ、該集計された緊急度の値は、前記集計タスクデータオブジェクトグループ内の任意のタスクデータオブジェクトに割り当てられる、最大の緊急度属性値として計算され、
前記集計ビューにおいて、集計された緊急度の値が閾値を上回る集計されたタスクデータオブジェクトグループのＧＵＩエレメントが選択的に表示されることを特徴とする請求項３〜５のいずれか１項に記載の方法。
【請求項７】
第１の集計ＧＵＩエレメントバージョンに応じて、前記集計ＧＵＩエレメントのそれぞれを提供する提供工程であって、ＧＵＩエレメントバージョンのそれぞれは、特定のグラフィックデザインに対応し、前記第１のＧＵＩエレメントバージョンが小型スクリーン上、特にモバイルユーザ機器（１０６）上に表示されるように構成され、集計ＧＵＩエレメントのそれぞれは、前記ドリルダウングラフの前記第１ノード（９０１〜９１３、９１５〜１００８）の１つへのポインタである、提供工程、
ほぼスクリーンのサイズである第１ウィンドウ枠（７０４）内に、前記集計ＧＵＩエレメント（１３２）を含む前記集計ビューを表示する工程、および
ほぼスクリーンのサイズであり、前記第１ウィンドウ枠に取って代わる第２ウィンドウ枠（７０５）を表示する工程をさらに備え、前記第２ウィンドウ枠が、
１つまたは２つ以上のさらなる集計ＧＵＩエレメント、または、１つまたは２つ以上のタスクＧＵＩエレメント（７１０、７１１；１４１２〜１４１４）を含み、
タスクＧＵＩエレメントのそれぞれが、前記第１ウィンドウ枠の集計ＧＵＩエレメントの１つによって表される集計タスクデータオブジェクトグループのタスクデータオブジェクトを表し、任意のタスクＧＵＩエレメントを選択すると、前記１つの集計タスクデータオブジェクトグループの共通のステップを実行する命令が実行されることを特徴とする請求項３〜６のいずれか１項に記載の方法。
【請求項８】
前記第２ウィンドウ枠のコンテントが、
前記第１ウィンドウ枠内で前記集計ＧＵＩエレメントの１つが選択されると、前記ドリルダウングラフの前記第１ノードの１つを現在のノードとして選択する工程、
ドリルダウン分析を実行する工程であって、前記ドリルダウン分析は、現在のノードおよび現在のノードの直接的、間接的な後続ノードの全てに実行されるデータ集計操作であり、前記ノードに対して前記集計操作を実行するときに、前記現在のノードのノード属性が、前記集計操作において工程Ｂ）に従って集計属性として用いられ、１つまたは２つ以上のさらなる集計タスクデータオブジェクトグループが作り出される、ドリルダウン分析を実行する工程、および
前記さらなる集計ＧＵＩエレメントの１つによって、前記さらなる集計タスクデータオブジェクトグループのそれぞれを表す工程
により構成される請求項７記載の方法。
【請求項９】
前記少なくとも１つの検査装置のステータス情報を受信するために、前記少なくとも１つの検査装置のステータスを監視する工程、
受信されたステータス情報に応じて、前記受信されたタスクデータオブジェクトの少なくともいくつかを、動的に生成、変更および／または削除する工程、
前記工程Ｂ）〜Ｅ）の再実行をトリガーする工程
をさらに備え、
前記再実行の結果として、動的に更新された、実行されるべきタスクの集計ビューが提供される請求項３〜８のいずれか１項に記載の方法。
【請求項１０】
選択された集計タスクデータオブジェクトグループのタスクデータオブジェクトがそれぞれ、測定結果を検査および／または検証するタスクを表し、
前記全てのタスクに共通の工程を実行するプログラム命令へのユーザアクセスの提供が、ワークフロー実行ビューを表示する工程を備え、前記ワークフロー実行ビューは、前記ユーザが前記測定結果を検査および／または検証することを可能にする、１つまたは２つ以上のタスク実行ＧＵＩエレメント（１４１０）を含み、
前記選択された集計タスクデータオブジェクトグループの共通の工程は、表示用の複数のワークフロー実行ビューからワークフロー実行ビューを自動的に選択する工程であることを特徴とする請求項３〜９のいずれか１項に記載の方法。
【請求項１１】
前記ワークフロー実行ビューを介して、前記測定結果の１つのユーザによる承認を示す確認信号を受信する工程と、
前記確認信号を受信した場合には、前記結果をＬＩＳまたはミドルウェアに自動的に転送するか、または利用可能にする工程と
をさらに備える請求項１０記載の方法。
【請求項１２】
前記少なくとも１つの検査装置が、複数の検査装置のうちの１つであり、
前記選択された集計タスクデータオブジェクトグループのタスクデータオブジェクトが、それぞれ前記複数の検査装置の１つを維持管理するメンテナンスタスクを表し、
全ての前記タスクに共通の工程を実行するプログラム命令へのユーザアクセスの提供が、ワークフロー実行ビューを表示する工程を備え、前記ワークフロー実行ビューは、１つまたは２つ以上のタスク実行ＧＵＩエレメント（１５０７）を含み、タスク実行ＧＵＩエレメントのそれぞれは、前記検査装置の１つの現在のステータスに関する情報、および／または前記検査装置をどのようにして修理するかについての情報を含むことを特徴とする請求項３〜８のいずれか１項に記載の方法。
【請求項１３】
前記選択された集計タスクデータオブジェクトグループの共通の工程は、以下の群、すなわち、
共通の位置でメンテナンスタスクを実行するメンテナンスタスク実行工程であって、前記共通の位置が、前記メンテナンスタスクが前記選択された集計タスクデータオブジェクトグループ内で集計される全ての検査装置に共通する、メンテナンスタスク実行工程、
表示用の複数のワークフロー実行ビューからワークフロー実行ビューを選択する工程、および
各検査装置を操作可能にするために、共通の位置から１つまたは２つ以上の消耗品を取り出す工程であって、前記共通の位置が、前記メンテナンスタスクが前記選択された集計タスクデータオブジェクトグループ内で集計される全ての検査装置に共通する、消耗品を取り出す工程
からなる群から選択される、コンピュータを利用する請求項１２記載の方法。
【請求項１４】
前記ワークフロー実行ビューを介して、前記ユーザによる成功したメンテナンスを示す確認信号を受信する工程と、
前記確認信号が受信された場合には、前記確認信号が受信された検査装置のそれぞれにコマンドを自動的に送信し、それにより、前記検査装置を自動的に起動し、前記検査装置がそのそれぞれの検査手順を実行することを可能にする工程と
をさらに備える請求項１２または１３記載の方法。
【請求項１５】
前記少なくとも１つの検査装置は複数の検査装置のうちの１つであり、
前記選択された集計タスクデータオブジェクトグループのタスクデータオブジェクトはそれぞれ、前記検査装置の１つによって処理された生体試料の１つまたは２つ以上を、前記検査装置のいずれかから目的位置まで移送するタスクを表し、
前記選択された集計タスクデータオブジェクトグループの共通の工程は、１つまたは２つ以上の生体試料を共通の目的位置まで移送する工程であり、
前記共通の工程を実行するプログラム命令へのユーザアクセスの提供が、ワークフロー実行ビューを表示する工程を備え、
前記ワークフロー実行ビューを介して、前記ユーザによる目的位置の確認を示す確認信号を受信すると、前記選択された集計タスクデータオブジェクトグループの確認された移送タスクを自動的に実行するために、１つまたは２つ以上のロボットユニットを自動的にトリガーし、それにより前記検査装置のいずれかによって処理された生体試料のそれぞれを、前記共通の目的位置まで移送することを特徴とする請求項３〜８のいずれか１項に記載の方法。